(57)【要約】【課題】導電体の膨張・収縮による接続不良を防止することができる端子装置を提供する。【解決手段】端子装置１は、金属板材を断面略ロ字状に折曲形成して前後を開口２ａとした箱形端子金具２を形成し、箱形端子金具２の内部の下板部２ｂに端子座３を添装し、箱形端子金具２の内部の上板部２ｃと端子座３との間に押さえ板４を上下動可能に配設し、箱形端子金具２の上板部２ｃに穿設した螺孔２ｄに端子ねじ５を螺合して構成し、押さえ板４は垂直片４ａと水平片４ｂとで略Ｌ字状に形成し、水平片４ｂの一部を切り起こして弾性片４ｃを形成し、端子ねじ５の締め付けによって押さえ板４と端子座３とで挟持固定した電線６が収縮した場合でも押さえ板４の弾性力によって電線６を端子座４に押圧して接続不良を防止する。【選択図】        図１
2004241280.tif 000002
【特許請求の範囲】
【請求項１】
金属板材を断面略ロ字状に折曲形成して前後を開口とした箱形端子金具を形成し、該箱形端子金具の内部の下板部に端子座を添装し、前記箱形端子金具の内部の上板部と前記端子座との間に押さえ板を上下動可能に配設し、前記箱形端子金具の上板部に穿設した螺孔に端子ねじを螺合し、該端子ねじを締め付けることによって前記開口から挿入された導電体を前記押さえ板と前記端子座とで挟持固定する端子装置において、前記押さえ板は弾性を有し、前記導電体を押圧することを特徴とする端子装置。
【発明の詳細な説明】
【０００１】
【発明の属する技術分野】
本発明は、ブレーカ等の電気機器に用いられるねじ締め式の端子装置に関する。
【０００２】
【従来の技術】
従来、ブレーカ等に用いられる端子装置として、金属板材を断面略ロ字状に折曲形成して前後を開口とした箱形端子金具を形成し、箱形端子金具の内部の下板部に端子座を添装し、箱形端子金具の内部の上板部と端子座との間に押さえ板を上下動可能に配設し、箱形端子金具の上板部に穿設した螺孔に端子ねじを螺合し、端子ねじを締め付けることによって開口から挿入された電線の導電体を押さえ板と端子座とで挟持固定するものがある（例えば、特許文献１参照。）。
【０００３】
【特許文献１】
特開平５−２４２７８９号公報（第２頁、第１図）
【０００４】
【発明が解決しようとする課題】
端子装置は通電と無通電を繰り返すと温度変化によって導電体が膨張・収縮し、端子座又は押さえ板との間に隙間が生じて導電体を確実に締め付けできなくなるという現象が起こり、これによって端子装置が発熱するという問題がある。そこで端子ねじにスプリングワッシャを嵌めたり、端子ねじを特殊な形状にして端子ねじが緩まないようにしても、導電体と端子装置の接触部との隙間は無くならないので接続不良を解消することができなかった。
【０００５】
そこで上記問題点に鑑み、本発明の目的は、導電体の膨張・収縮による接続不良を防止することができる端子装置を提供することである。
【０００６】
【課題を解決するための手段】
上記目的を達成するために、金属板材を断面略ロ字状に折曲形成して前後を開口とした箱形端子金具を形成し、箱形端子金具の内部の下板部に端子座を添装し、箱形端子金具の内部の上板部と端子座との間に押さえ板を上下動可能に配設し、箱形端子金具の上板部に穿設した螺孔に端子ねじを螺合し、端子ねじを締め付けることによって開口から挿入された導電体を押さえ板と端子座とで挟持固定する端子装置において、押さえ板は弾性を有し、導電体を押圧することを特徴とする。
【０００７】
【発明の実施の形態】
端子装置は、金属板材を断面略ロ字状に折曲形成して前後を開口とした箱形端子金具を形成し、箱形端子金具の内部の下板部に端子座を添装し、箱形端子金具の内部の上板部と端子座との間に押さえ板を上下動可能に配設し、箱形端子金具の上板部に穿設した螺孔に端子ねじを螺合して構成し、押さえ板は垂直片と水平片とで略Ｌ字状に形成し、水平片の一部を切り起こして弾性片を形成し、端子ねじの締め付けによって押さえ板と端子座とで挟持固定した電線が収縮した場合でも押さえ板の弾性力によって電線を端子座に押圧して接続不良を防止する。
【０００８】
【実施例】
本発明に係る端子装置の第１実施例を図１〜図３の添付図面に基づいて説明する。
【０００９】
端子装置１は、金属板材を断面略ロ字状に折曲形成して前後を開口２ａとした箱形端子金具２を形成し、箱形端子金具２の内部の下板部２ｂに端子座３を添装し、箱形端子金具２の内部の上板部２ｃと端子座３との間に押さえ板４を上下動可能に配設し、箱形端子金具２の上板部２ｃに穿設した螺孔２ｄに端子ねじ５を螺合して構成している。
【００１０】
押さえ板４は垂直片４ａと水平片４ｂとで略Ｌ字状に形成され、水平片４ｂは一部を切り起こして先端が端子ねじ５の先端と対向するように弾性片４ｃが形成されている。
【００１１】
電線６を端子装置１に接続するには、電線６を押さえ板４の水平片４ｂと端子座３との間に箱形端子金具２の開口２ａから挿入し、端子ねじ５を締め付けることにより、押さえ板４の水平片４ｂと端子座３とで電線６を挟持固定して接続する。
【００１２】
電線６が温度変化によって膨張・収縮をした場合でも弾性片４ｃの弾性力によって押さえ板４の水平片４ｂが電線６を端子座３に押圧するため、電線６の接続不良を防止することができる。
【００１３】
本発明に係る端子装置の第２実施例を図４〜図６の添付図面に基づいて説明する。
【００１４】
端子装置１１は、金属板材を断面略ロ字状に折曲形成して前後を開口１２ａとした箱形端子金具１２を形成し、箱形端子金具１２の内部の下板部１２ｂに端子座１３を添装し、箱形端子金具１２の内部の上板部１２ｃと端子座１３との間に押さえ板１４を上下動可能に配設し、箱形端子金具１２の上板部１２ｃに穿設した螺孔１２ｄに端子ねじ１５を螺合して構成している。
【００１５】
押さえ板１４は上側片１４ａと下側片１４ｂとで弾性を有するように略く字状に形成され、上側片１４ａの略中央部に端子ねじ１５の先端に当接する突起１４ｃが形成され、押さえ板１４の弾性力が端子ねじ１５に効果的に伝わるようにされている。
【００１６】
電線１６を端子装置１１に接続するには、電線１６を押さえ板１４の下側片１４ｂと端子座１３との間に箱形端子金具１２の開口１２ａから挿入し、端子ねじ１５を締め付けることにより、押さえ板１４の下側片１４ｂと端子座１３とで電線１６を挟持固定して接続される。
【００１７】
電線１６が温度変化によって膨張・収縮をした場合でも押さえ板１４の弾性力によって押さえ板１４の下側片１４ｂが電線１６を端子座１３に押圧するため、電線１６の接続不良を防止することができる。
【００１８】
尚、本発明において、押さえ板は電線を押圧するように弾性を有していれば良く、形状について限定はない。また、端子装置に接続する導電体は電線に限定することはなく、導電バー等でも良い。
【００１９】
【発明の効果】
以上説明したように金属板材を断面略ロ字状に折曲形成して前後を開口とした箱形端子金具を形成し、箱形端子金具の内部の下板部に端子座を添装し、箱形端子金具の内部の上板部と端子座との間に押さえ板を上下動可能に配設し、箱形端子金具の上板部に穿設した螺孔に端子ねじを螺合し、端子ねじを締め付けることによって開口から挿入された電線を押さえ板と端子座とで挟持固定する端子装置において、押さえ板は弾性を有し、導電体を押圧することにより、導電体の膨張・収縮による接続不良を防止することができるという効果がある。
【図面の簡単な説明】
【図１】本発明に係る端子装置に電線を接続する様子を示す要部断面図である。
【図２】本発明に係る端子装置に電線を接続した状態を示す要部断面図である。
【図３】本発明に係る端子装置の押さえ板を示す側面図である。
【図４】本発明に係る端子装置に電線を接続する様子を示す要部断面図である。
【図５】本発明に係る端子装置に電線を接続した状態を示す要部断面図である。
【図６】本発明に係る端子装置の押さえ板を示す側面図である。
【符号の説明】
１…端子装置
３…端子座
４…押さえ板
４ｃ…弾性片
５…端子ねじ
６…電線
【図１】
2004241280.tif 000003
【図２】
2004241280.tif 000004
【図３】
2004241280.tif 000005
【図４】
2004241280.tif 000006
【図５】
2004241280.tif 000007
【図６】
2004241280.tif 000008